(57)【特許請求の範囲】
【請求項１】
機器を操作する操作部と、前記操作部からの入力を受け付ける入力受付部と、前記入力受付部からの信号入力のオン時間とオフ時間と繰り返しの間隔とを信号入力パターンとして認識し、前記信号入力パターンに応じ、信号入力の認識速度を可変する第１の制御モードと、前記第１の制御モードに応じた出力制御を行う第２の制御モードとを有する制御部と、前記制御部からの信号に応じて動作を行う動作出力部とで構成し、前記第１の制御モードは、前記操作部からの前記信号入力パターンを整理する学習期間となる所定期間内記憶し、前記所定期間経過後、使用頻度の多い使われ方を優先的に認識しやすくするために最も多い信号入力パターンから順に認識する操作制御装置。
【請求項２】
第１の制御モードは、操作部からの信号入力パターンを所定期間内記憶し、前記所定期間経過後、最も多い信号入力パターンから順に認識するが、前記操作部から入力される信号入力パターンが認識される前記所定期間が経過するまでは、一定の入力信号パターンにて認識する請求項１記載の操作制御装置。
【請求項３】
第１の制御モードは、操作部からの信号入力パターンを所定期間内記憶し、前記所定期間経過後は、最も多い信号入力パターンから順に認識するようにした後、前記操作部から入力される信号入力パターンを認識し、その後、継続して使用する場合は、入力される信号入力パターンが変更された際、認識する信号入力パターンも変更する請求項１記載の操作制御装置。
【請求項４】
第１の制御モードは、操作部からの信号入力パターンを所定期間内記憶し、前記所定期間経過後は、最も多い信号入力パターンから順に認識するようにした後、前記操作部から入力される信号入力パターンを認識し、その後、継続して使用する場合は、入力される信号入力パターンが所定回数変更されれば、一定の信号入力パターンのみ認識する請求項１記載の操作制御装置。
【請求項５】
第１の制御モードは、操作部からの信号入力パターンを所定期間内記憶し、前記所定期間経過後は、最も多い信号入力パターンから順に認識するようにした後、前記操作部から入力される信号入力パターンを認識し、その後、継続して使用する場合は、入力される信号入力パターンが変更された際、一定の信号入力パターンのみ認識し、前記信号入力パターンが変更されてから所定時間が経過した後は、認識する信号入力パターンを変更する請求項１記載の操作制御装置。
【請求項６】
第１の制御モードは、操作部からの信号入力パターンを所定期間内記憶し、前記所定期間経過後、最も多い信号入力パターンから順に認識するが、前記所定期間内は、一定のパターンのみ認識する請求項１記載の操作制御装置。
【請求項７】
第１の制御モードは、操作部からの信号入力パターンを所定期間内記憶し、前記所定期間経過後、最も多い信号入力パターンから順に認識し、前記所定期間内は一定のパターンのみ認識し、第２の制御モードは、前記所定期間内は前記第１の制御モードに応じ一定のパターンのみで出力制御を行う請求項１記載の操作制御装置。
【請求項８】
第１の制御モードは、操作部からの信号入力パターンを所定期間内記憶し、前記所定期間経過後、最も多い信号入力パターンから順に認識するが、所定の信号入力パターン数を越えるものについては認識しない請求項１記載の操作制御装置。
【請求項９】
第１の制御モードは、操作部からの信号入力パターンを所定期間内記憶し、前記所定期間経過後、最も多い信号入力パターンから順に認識し、第２の制御モードは、前記第１の制御モードにて認識された信号入力パターン数に対し、より少ない出力制御パターン数で出力制御を行う請求項１記載の操作制御装置。
【請求項１０】
第１の制御モードは、操作部からの信号入力パターンを所定期間内記憶し、前記所定時間経過後、最も多い信号入力パターンから順に認識した後も、更に所定期間内、信号入力パターンを記憶し、更に最も多い信号入力パターンから順に認識することを繰り返す請求項１記載の操作制御装置。
【請求項１１】
第１の制御モードは、操作部からの信号入力パターンに対し、予め複数の認識パターンを有する請求項１記載の操作制御装置。
【請求項１２】
第１の制御モードは、操作部からの信号入力パターンに対し、予め複数の認識パターンを有し、前記複数の認識パターンの中から最も多い信号入力パターンの順に認識する請求項１記載の操作制御装置。
【請求項１３】
第１の制御モードからの信号に対し、予め複数の出力制御パターンを有する第２の制御モードとした請求項１記載の操作制御装置。
【請求項１４】
第１の制御モードは、操作部の特定箇所を所定の順に操作することにより、予め定められた複数の認識パターンを任意に選択できる請求項１記載の操作制御装置。
【請求項１５】
第１の制御モードは、操作部の特定箇所を所定の順に操作することにより、予め定められた複数の認識パターンを任意に選択でき、第２の制御モードは、前記第１の制御モードにて選択された認識パターンに連動した出力制御を行う請求項１記載の操作制御装置。
【請求項１６】
第１の制御モードは、操作部の特定箇所を所定の順に操作することにより、予め定められた複数の認識パターンを任意に選択でき、第２の制御モードは、前記第１の制御モードにて選択された認識パターンに連動した出力制御を行い、第３の制御モードは、電源がオフする際に前記選択設定された任意の認識パターンを保持、あるいは解除する請求項１記載の操作制御装置。
【発明の詳細な説明】
【０００１】
【発明の属する技術分野】
本発明は、加熱調理機器の操作制御装置に関するものである。
【０００２】
【従来の技術】
近年、熱源を電力、都市ガス及びＬＰガスとする加熱調理機器の火力コントロールをマイコン、ＩＣ等を利用した電子制御で行う機器が一般化してきている。
【０００３】
中でも、機器の操作部において、タッチ式キーによるワンタッチ入力で行える操作性の向上した機器の普及もかなり進んできている。
【０００４】
図２は従来の加熱調理機器を示す構成図である。
【０００５】
すなわち、使用者により操作部１へ信号入力すると、入力を受け付ける入力受付部２により操作部１からの信号入力を認識し、それに応じた動作出力を行う動作出力部４へ制御を行う制御部３により、制御が行われる。
【０００６】
【発明が解決しようとする課題】
しかしながら、従来の加熱調理機器では、例えば、機器の操作部において、タッチ式キーによるワンタッチ入力で行える操作性の向上した機器においては、使用者により操作部へ入力する速度や、入力するパターンが異なるが、操作部からの信号入力を受付ける速度は固定であり、使用者が機器側の認識する能力に合わせた操作をする必要があった。
【０００７】
また、火力等の制御を行う制御部も、固定された一定の出力をするのみで、機械式のダイアル方式で制御を行うタイプの機器よりも使い勝手が劣る可能性があるといった課題を有していた。
【０００８】
【課題を解決するための手段】
本発明は、上記課題を解決するために、機器を操作する操作部と、前記操作部からの入力を受け付ける入力受付部と、前記入力受付部からの信号入力のオン時間とオフ時間と繰り返しの間隔とを信号入力パターンとして認識し、前記信号入力パターンに応じ、信号入力の認識速度を可変する第１の制御モードと、前記第１の制御モードに応じた出力制御を行う第２の制御モードとを有する制御部と、前記制御部からの信号に応じて動作を行う動作出力部とで構成し、前記第１の制御モードは、前記操作部からの前記信号入力パターンを整理する学習期間となる所定期間内記憶し、前記所定期間経過後、使用頻度の多い使われ方を優先的に認識しやすくするために最も多い信号入力パターンから順に認識するとしたものである。
【０００９】
上記発明によれば、第１の制御モードによって、操作部からの入力を受け付ける入力受付部からの信号入力パターンを認識し、信号入力パターンに応じ、信号入力の認識速度を可変することにより、使用者による操作部へ入力する速度やパターンの違いを認識することが可能となる。
【００１０】
また、第１の制御モードに応じた出力制御を行う第２の制御モードを有することにより、使用者は機器の固定された操作部からの信号入力認識速度、パターンに合わせることが不要となり、使用者の利便性を図ることができる。
【００１１】
また、所定期間経過後、最も多い信号入力パターンから順に認識することにより、操作性を向上させることができる。
【００１２】
【発明の実施の形態】
請求項１に記載の発明は、機器を操作する操作部と、前記操作部からの入力を受け付ける入力受付部と、前記入力受付部からの信号入力のオン時間とオフ時間と繰り返しの間隔とを信号入力パターンとして認識し、前記信号入力パターンに応じ、信号入力の認識速度を可変する第１の制御モードと、前記第１の制御モードに応じた出力制御を行う第２の制御モードとを有する制御部と、前記制御部からの信号に応じて動作を行う動作出力部とで構成し、前記第１の制御モードは、前記操作部からの前記信号入力パターンを整理する学習期間となる所定期間内記憶し、前記所定期間経過後、使用頻度の多い使われ方を優先的に認識しやすくするために最も多い信号入力パターンから順に認識することにより、様々な操作入力パターンに対応することができる。
【００１３】
また、第１の制御モードを、操作部からの信号入力パターンを所定期間内記憶し、前記所定期間経過後、最も多い信号入力パターンから順に認識することにより、操作性を向上させることができる。
【００１４】
請求項２に記載の発明は、特に請求項１に記載の第１の制御モードを、操作部からの信号入力パターンを所定期間内記憶し、前記所定期間経過後、最も多い信号入力パターンから順に認識するが、前記操作部から入力される信号入力パターンが認識される所定期間が経過するまでは、一定の入力信号パターンにて認識することにより、精度良く、使用頻度の高い入力パターンを認識することができる。
【００１５】
請求項３に記載の発明は、特に請求項１に記載の第１の制御モードを、操作部からの信号入力パターンを所定期間内記憶し、前記所定期間経過後は、最も多い信号入力パターンから順に認識するようにした後、前記操作部から入力される信号入力パターンを認識し、その後、継続して使用する場合は、入力される信号入力パターンが変更された際、認識する信号入力パターンも変更することにより、利便性を向上させることができる。
【００１６】
請求項４に記載の発明は、特に請求項１に記載の第１の制御モードを、操作部からの信号入力パターンを所定期間内記憶し、前記所定期間経過後は、最も多い信号入力パターンから順に認識するようにした後、前記操作部から入力される信号入力パターンを認識し、その後、継続して使用する場合、入力される信号入力パターンが所定値以上変更されれば、一定の信号入力パターンのみ認識することにより、安定した使用を継続することができる。
【００１７】
請求項５に記載の発明は、特に請求項１に記載の第１の制御モードを、操作部からの信号入力パターンを所定期間内記憶し、前記所定期間経過後は、最も多い信号入力パターンから順に認識するようにした後、前記操作部から入力される信号入力パターンを認識し、その後、継続して使用する場合は、入力される信号入力パターンが変更された際、一定の信号入力パターンのみ認識し、前記信号入力パターンが変更されてから所定時間が経過した後は、認識する信号入力パターンを変更する第１の制御モードとすることにより、安定した使用を継続することができる。
【００１８】
請求項６に記載の発明は、特に請求項１に記載の第１の制御モードを、操作部からの信号入力パターンを所定期間内記憶し、前記所定期間経過後、最も多い信号入力パターンから順に認識するが、前記所定期間内は、一定のパターンのみ認識することにより、精度良く使用頻度の高い使用パターンから順に認識することが可能となる。
【００１９】
請求項７に記載の発明は、特に請求項１に記載の第１の制御モードを、操作部からの信号入力パターンを所定期間内記憶し、前記所定期間経過後、最も多い信号入力パターンから順に認識するが、前記所定期間内は、一定のパターンのみ認識するものとし、同様に前記所定期間内は、第２の制御モードを、前記第１の制御モード応じ、一定のパターンのみで出力制御を行うことにより、安定した使用を継続できる。
【００２０】
請求項８に記載の発明は、特に請求項１に記載の第１の制御モードを、操作部からの信号入力パターンを所定期間内記憶し、前記所定期間経過後、最も多い信号入力パターンから順に認識するが、所定の信号入力パターン数を越えるものについては認識しないことにより、必要以上の信号入力パターンを記憶することが不要とすることが可能となる。
【００２１】
請求項９に記載の発明は、特に請求項１に記載の第１の制御モードを、操作部からの信号入力パターンを所定期間内記憶し、前記所定期間経過後、最も多い信号入力パターンから順に認識するものとし、前記第１の制御モードにて認識された信号入力パターン数よりも、第２の制御モードを少ない出力制御パターン数で出力制御を行うものとすることにより、いたずらに出力制御モードのパターンを増やすことを排することができる。
【００２２】
請求項１０に記載の発明は、特に請求項１に記載の第１の制御モードを、操作部からの信号入力パターンを所定期間内記憶し、前記所定期間経過後、最も多い信号入力パターンから順に認識した後も、所定期間内、信号入力パターンを記憶し、更に最も多い信号入力パターンから順に認識することを繰り返すことにより、利便性の向上が図られる。
【００２３】
請求項１１に記載の発明は、特に請求項１に記載の第１の制御モードを、操作部からの信号入力パターンに対し、予め複数以上の認識パターンを有するものとすることにより、必要以上の認識パターンを作成することを排することができる。
【００２４】
請求項１２に記載の発明は、特に請求項１に記載の第１の制御モードを、操作部からの信号入力パターンに対し、予め複数以上の認識パターンを有し、その中から最も多い信号入力パターンの順に認識することにより、短期間の間に認識パターンの準備をすることができる。
【００２５】
請求項１３に記載の発明は、特に請求項１に記載の第２の制御モードを、操作部からの信号に対し、予め複数以上の出力制御パターンを有することにより、短期間に出力制御パターンの準備をすることができる。
【００２６】
請求項１４に記載の発明は、特に請求項１に記載の第１の制御モードを、操作部の特定箇所を所定の順に操作することにより、予め定められた複数以上の認識パターンを任意に選択できるものとすることにより、使い始めから適した操作性とすることができる。
【００２７】
請求項１５に記載の発明は、特に請求項１に記載の第１の制御モードを、操作部の特定箇所を所定の順に操作することにより、予め定められた複数以上の認識パターンを任意に選択できるものとし、第２の制御モードを、前記第１の制御モードにて選択された認識パターンに連動した出力制御を行うものとすることにより、使用者が好みの使用パターンを選択することが可能となる。
【００２８】
請求項１６に記載の発明は、特に第１の制御モードを、操作部の特定箇所を所定の順に操作することにより、予め定められた複数以上の認識パターンを任意に選択できるものとし、第２の制御モードを、前記第１の制御モードにて選択された認識パターンに連動した出力制御を行う第２の制御モードと、電源がオフする際に前記選択設定された任意の認識パターンを保持、解除する第３の制御モードにより、使用者が好みの使用パターンを選択、継続使用が可能となる。
【００２９】
【実施例】
以下、本発明の実施例について、図面を用いて説明する。
【００３０】
（実施例１）
図１は、本発明の実施例１の加熱調理機器の構成図である。
【００３１】
図１において、使用者により機器（図示せず）の操作部１へ任意の操作が行われると、入力された信号は入力受付部２で受付けられ、入力受付部２からの信号入力のオン時間、オフ時間、繰り返しの間隔などを入力パターンとして認識し、前記信号入力パターンに応じ、信号入力の認識速度を可変する第１の制御モード５と、第１の制御モード５にて認識された信号入力の速度に応じた出力制御を行う第２の制御モード６により動作出力部４の動作を行うための出力制御を行う２つの制御モードを有する制御部３によって、操作部１への入力パターンに応じた出力制御を行う。
【００３２】
また、操作部１からの信号入力パターンを所定期間内記憶し、前記所定期間経過後、最も多い信号入力パターンから順に認識する第１の制御モードとすることにより、使用頻度の多い使われ方を優先的に認識し易くすることができる。
【００３３】
さらに、操作部１からの信号入力パターンを所定期間内記憶し、前記所定期間経過後、最も多い信号入力パターンから順に認識するが、前記操作部１から入力される信号入力パターンが認識される前記所定期間が経過するまでの間は、一定の入力信号パターンにて認識する第１の制御モード５により、前記所定期間は信号入力パターンを整理する学習期間となり、精度良く、使用頻度の高い入力パターンから順に認識することが可能となる。
【００３４】
あるいは、操作部１からの信号入力パターンを所定期間内記憶し、前記所定期間経過後は、最も多い信号入力パターンから順に認識するようにした後、操作部１から入力される信号入力パターンを認識し、その後、継続して機器（図示せず）を使用する場合は、操作をする人が途中で替わることが十分に考えられる。入力される信号入力パターンが機器の使用途中で変更された場合、第１の制御モード５によって、認識する信号入力パターンも変更し、利便性を向上させることができる。
【００３５】
また、操作部１からの信号入力パターンを所定期間内記憶し、前記所定期間経過後は、最も多い信号入力パターンから順に認識するようにした後、操作部１から入力される信号入力パターンを認識し、その後、継続して使用する場合、使用者により入力される信号入力パターンが大きく変動することが考えられる。これに対応するため、所定値以上、信号入力パターンが変更されれば、一定の信号入力パターンのみ認識する第１の制御モード５により、不安定な動作をすることなく安定した使用を継続することができる。
【００３６】
さらに、操作部１からの信号入力パターンを所定期間内記憶し、前記所定期間経過後は、最も多い信号入力パターンから順に認識するようにした後、機器を使用するため、操作部１から入力される信号入力パターンを認識し、その後、継続して使用する場合は、入力される信号入力パターンが変更された際、一定の信号入力パターンのみ認識し、前記信号入力パターンが変更されてから所定時間が経過した後は、認識する信号入力パターンを変更する第１の制御モード５とすることにより、安定した使用を継続することができる。
【００３７】
また、第１の制御モード５は、操作部１からの信号入力パターンを所定期間内記憶し、前記所定期間経過後、最も多い信号入力パターンから順に認識するが、前記所定期間内は、信号入力パターンを収集する精度を高めるため、実際に入力される信号は、一定の使われ方のパターンのみ認識することにより、精度良く使用頻度の高い使用パターンから順に認識することが可能となる。
【００３８】
さらに、操作部１からの信号入力パターンを所定期間内記憶し、前記所定期間経過後、最も多い信号入力パターンから順に認識するが、前記所定期間内は、一定のパターンのみ認識するものとした第１の制御モード５と、同様に前記所定期間内は、第２の制御モード６を、第１の制御モードに応じ、一定のパターンのみで出力制御を行うことにより、安定した使用を継続できる。
【００３９】
また、第１の制御モード５を、操作部１からの信号入力パターンを所定期間内記憶し、前記所定期間経過後、最も多い信号入力パターンから順に認識するが、所定の信号入力パターン数を越えるものについては認識しないことにより、いたずらにサンプリングする信号入力パターン数を制限し、必要以上の信号入力パターンを記憶することが不要となり、信号入力パターンを認識する所定期間を短縮することが可能となる。
【００４０】
さらに、操作部１からの信号入力パターンを所定期間内記憶し、前記所定期間経過後、最も多い信号入力パターンから順に認識するものとし、第１の制御モード５にて認識された信号入力パターン数よりも、第２の制御モード６を少ない出力制御パターン数で出力制御を行うものとすることにより、いたずらに出力制御モードのパターンを増やすことを排すると共に、機器のハード的な制約による応答性も考慮した安定した出力制御を行うことができる。
【００４１】
あるいは、操作部１からの信号入力パターンを所定期間内記憶し、前記所定時間経過後、最も多い信号入力パターンから順に認識した後も、所定期間内、信号入力パターンを記憶し、更に最も多い信号入力パターンから順に認識することを繰り返す第１の制御モード５により、使用者が都度、替わる場合にも安定した使用が可能となる。
【００４２】
また、操作部１からの信号入力パターンに対し、予め複数以上の認識パターンを有する第１の制御モード５とすることにより、信号入力パターンのサンプリングに要する期間を短縮することが可能となる。
【００４３】
さらに、操作部１からの信号入力パターンに対し、予め複数以上の認識パターンを有し、その中から最も多い信号入力パターンから順に当てはめ認識する第１の制御モード５とすることにより、信号入力パターンを認識するに要する期間を短縮できる。
【００４４】
また、第１の制御モード５からの信号に対し、第２の制御モード６を、予め複数以上の出力制御パターンを有することで、動作出力部４に安定した動作をさせることができる。
【００４５】
さらに、操作部１の特定箇所を所定の順に操作することにより、予め定められた複数以上の認識パターンを任意に選択できる第１の制御モード５によって、使用者が操作開始する時点から、好みに応じた操作受付が可能となる。
【００４６】
また、操作部１の特定箇所を所定の順に操作することにより、予め定められた複数以上の認識パターンを任意に選択できる第１の制御モード５と、第１の制御モードの中から任意に選択された認識パターンに連動した出力制御を行う第２の制御モード６により、操作開始時より使い勝手の良い操作と出力制御が同時に行うことが可能となると共に、選択設定された任意の認識パターンを保持、解除する第３の制御モードにより、使用者が好みの使用パターンを選択、継続使用が可能となる。
【００４７】
（実施例２）
図２は、本発明の実施例２の加熱調理機器の構成図である。
【００４８】
図２において、操作部１の特定箇所（図示せず）を所定の順に操作することにより、制御部３の第１の制御モード５に予め定められた複数以上の認識パターンを任意に選択する。そして、第１の制御モード５にて選択された認識パターンに連動した動作出力部４へ出力制御を行う第２の制御モード６とにより、操作開始時から使い勝手の良い操作と出力制御が同時に行うことができる。
【００４９】
また、電源（図示せず）がオフする際に選択設定された任意の認識パターンを保持あるいは、解除する第３の制御モード７により、使用者が好みの使用パターンを選択、継続使用が可能となることで、いつも使用者の好みの使い方を選択できることになる。
【００５０】
【発明の効果】
以上のように請求項１〜１６に記載の発明によれば、本発明の操作制御装置によれば、次の効果が得られる。
【００５１】
操作部１へ任意の操作が行われると、入力された信号は入力受付部で受付けられ、入力受付部２からの信号入力パターンを認識し、信号入力パターンに応じ、信号入力の認識速度を可変する制御部の第１の制御モードにより、使用者の操作部へ入力する使用パターンに合わせて認識されるため、使用感の良い操作性を確保できる。
【００５２】
また、第１の制御モードにて認識された信号入力の速度に応じた出力制御を行う第２の制御モードにより動作出力部の動作を行うための出力制御を行うため、使用者は、自ら操作する応答性の良さを実感できることなる。
【００５３】
また、操作部からの信号入力パターンを所定期間内記憶し、所定期間経過後、最も多い信号入力パターンから順に認識する第１の制御モードの働きにより、使用頻度の多い使われ方を優先的に認識し、最も多く機器を使用する人ほど、使用感の良さを実感できることとなる。
【００５４】
そして、操作部からの信号入力パターンを所定期間内記憶し、所定期間経過後、最も多い信号入力パターンから順に認識するが、操作部から入力される信号入力パターンが認識される所定期間が経過するまでの間は、一定の入力信号パターンにて認識する第１の制御モードの働きにより、所定期間は信号入力パターンを整理する学習期間となり、精度良く、使用頻度の高い入力パターンから順に認識することが可能となる。
【００５５】
また、継続して機器を使用する場合は、操作をする人が途中で替わることが十分に考えられる。入力される信号入力パターンが機器の使用途中で変更された場合、第１の制御モードによって、認識する信号入力パターンも変更し、利便性を向上させることができる。
【００５６】
また、継続して使用する場合、使用者によっては、入力される信号入力パターンが大きく変わることがあるが、所定値以上で変更されれば、一定の信号入力パターンのみ認識する第１の制御モード５により、不安定な動作をすることなく安定した使用を継続することができる。
【００５７】
そして、継続して使用する場合は、入力される信号入力パターンが変更された際、一定の信号入力パターンのみ認識し、前記信号入力パターンが変更されてから所定時間が経過した後は、認識する信号入力パターンを変更する第１の制御モードの働きにより、安定した使用を継続することができる。
【００５８】
また、第１の制御モードは、所定期間内は、信号入力パターンを収集する精度を高めるため、実際に入力される信号は、一定の使われ方のパターンのみ認識することにより、精度良く使用頻度の高い使用パターンから順に認識することが可能となる。
【００５９】
そして、所定期間内は、一定のパターンのみ認識する第１の制御モードと、同様に所定期間内は、第１の制御モードに応じ、一定のパターンのみで出力制御を行う第２の制御モードにより、安定した使用ができる。
【００６０】
また、第１の制御モードにて、所定の信号入力パターン数を越えるものについては認識しないことにより、いたずらにサンプリングする信号入力パターン数を制限し、必要以上の信号入力パターンを記憶することが不要となり、信号入力パターンを認識する所定期間を短縮することが可能となる。
【００６１】
そして、第１の制御モードにて認識された信号入力パターン数よりも、第２の制御モードを少ない出力制御パターン数で出力制御を行うものとすることにより、いたずらに出力制御モードのパターンを増やすことを排すると共に、機器のハード的な制約による応答性も考慮した安定した出力制御を行うことができる。
【００６２】
また、第１の制御モードにより、最も多い信号入力パターンから順に認識した後も、所定期間内、信号入力パターンを記憶し、更に最も多い信号入力パターンから順に認識することを繰り返ことにより、使用者が都度、替わる場合にも安定した使用が可能となる。
【００６３】
そして、操作部からの信号入力パターンに対し、予め複数以上の認識パターンを有することにより、信号入力パターンのサンプリングに要する期間を短縮することが可能となる。
【００６４】
さらに、操作部からの信号入力パターンに対し、予め複数以上の認識パターンを有し、その中から最も多い信号入力パターンから順に当てはめ、認識する第１の制御モードにより、信号入力パターンを認識するに要する期間を短縮できる。
【００６５】
また、第１の制御モードからの信号に対し、第２の制御モードを、予め複数以上の出力制御パターンを有して連動することで、動作出力部を安定した動作とすることができる。
【００６６】
そして、操作部の特定箇所を所定の順に操作することにより、予め定められた複数以上の認識パターンを任意に選択できる第１の制御モードにより、使用者が操作開始する時点から、好みに応じた操作受付が可能となる。
【００６７】
さらに、操作部の特定箇所を所定の順に操作することにより、予め定められた複数以上の認識パターンを任意に選択できる第１の制御モードにより、第１の制御モードの中から任意に選択された認識パターンに連動した出力制御を行う第２の制御モードにより、操作開始時より使い勝手の操作と出力制御が同時に行うことが可能となる。
【図面の簡単な説明】
【図１】  本発明の実施例１の操作制御装置の構成を示す図
【図２】  本発明の実施例２の操作制御装置の構成を示す図
【図３】  従来の操作制御装置の構成を示す図
【符号の説明】
１  操作部
２  入力受付部
３  制御部
４  動作出力部
５  第１の制御モード
６  第２の制御モード
７  第３の制御モード
【図１】
0003941572.tif 000002
【図２】
0003941572.tif 000003
【図３】
0003941572.tif 000004